(57)【特許請求の範囲】
【請求項１】
輸出入取引を手助けする方法であって、前記方法が中央制御設備によって維持されるコンピューターシステムにおいて、前記コンピューターシステムのサーバおよびデータベースに常駐しているコンピュータ実装されたソフトウエアを含み、前記実装されたコンピュータがコンピューターシステムに、前記データベースへの輸入業者および輸出業者ならびに前記輸入業者および前記輸出業者の稼働の各々の国内の少なくとも１つの銀行の登録を行わせ、
前記輸入業者および輸出業者ならびに前記銀行の前記データベースへの登録が、前記コンピューターシステムによって生成され、かつ送信されるインターネットウェブページにアクセスすることによって遂行され、
前記コンピュータ実装されたソフトウエアがコンピューターシステムに、前記データベースに登録された前記輸入業者のために、少なくとも１つの銀行からの複合型銀行保証の前記中央制御設備への登録を受け入れさせ、
前記複合型銀行保証が信用状および銀行保証の組み合わせからなり、
前記コンピュータ実装されたソフトウエアがコンピューターシステムに、前記中央制御設備への登録のためのインボイスを、前記データベースに登録された輸出業者から受け入れさせ、前記輸入業者との取引のための前記複合型銀行保証に対する前記インボイスを前記データベースに登録させ、
そして、前記コンピュータ実装されたソフトウエアが、コンピューターシステムに前記複合型銀行保証に対して登録されたインボイスを監視するステップを実行させ、
前記監視するステップが、
（ａ）総価格を引き出すために、登録のために提出されたインボイスの価格を前記複合型銀行保証に対して（もしあれば）より前に登録されたインボイスの価格の合計に加えるステップ、
（ｂ）前記引き出された総価格を前記インボイスが登録のために提出された前記登録された複合型銀行保証の価格と比較するステップ、
（ｃ）前記総価格が前記複合型銀行保証の前記価格を上回らない場合、前記登録された複合型銀行保証文書に対して、前記インボイスを登録するステップ、
（ｄ）登録手数料の支払で、前記データベースに登録された前記輸出業者によって提示される期間の間、前記インボイスの登録を維持するステップ、を含み、
そして、前記引き出された総価格が前記複合型銀行保証の前記価格より大きい場合、前記コンピューターシステムが、前記複合型銀行保証に対する前記データベースに登録された前記輸出業者による登録のために提出されるいかなるインボイスの登録も拒否し、前記コンピュータ実装されたソフトウエアが、前記コンピューターシステムに、前記輸出業者および前記輸入業者に拒否の電子メール通知を生成しかつ送信させ、そして、登録されたインボイスの支払が前記インボイスの提示された登録期間内に前記輸入業者によってなされない場合、前記輸出業者が前記複合型銀行保証に対して請求することができる、ことを特徴とする方法。
【請求項２】
請求項１記載の方法であって、輸出入取引の当事者である、前記データベースに登録された前記輸入業者、前記輸出業者および前記銀行の各々が、インターネットを介して前記データベースの適切なセクションへのアクセスが与えられ、前記アクセスが識別の認証の提供で可能にされる、ことを特徴とする方法。
【請求項３】
請求項１記載の方法であって、前記インボイスの登録が手数料の支払で前記中央制御設備によって前記データベース内に維持される、ことを特徴とする方法。
【請求項４】
請求項１記載の方法であって、前記コンピュータ実装されたソフトウエアが前記コンピューターシステムに、前記中央制御設備に登録されるインボイスに対して、前記データベースに登録された輸入業者からの、前記中央制御設備に関係ない任意の支払手段による支払を受け入れさせることを特徴とする方法。
【請求項５】
請求項３記載の方法であって、前記コンピュータ実装されたソフトウエアが前記コンピューターシステムに、前記複合型銀行保証に対して登録された前記インボイスの前記提示された登録期間の終了に対して、輸出入取引の当事者である前記データベースに登録された輸出業者、前記登録された銀行および前記登録された輸入業者の各々に通知させる、ことを特徴とする方法。
【請求項６】
請求項３記載の方法であって、前記インボイスの前記登録期間の終了において登録されたインボイスの前記輸入業者からの支払を受領しなかった前記輸出業者が、前記インボイスが登録された前記複合型銀行保証に対して請求を登録することを可能にされる、ことを特徴とする方法。
【請求項７】
請求項１記載の方法であって、前記コンピュータ実装されたソフトウエアが、前記コンピューターシステムに、前記輸入業者のために前記銀行によって発行された複合型銀行保証に対する請求を、前記データベースに登録された、輸出入取引の当事者である前記銀行および前記輸入業者に通知させる、ことを特徴とする方法。
【請求項８】
請求項１記載の方法であって、前記コンピュータ実装されたソフトウエアが、前記コンピューターシステムに、前記少なくとも１つの取引に対して前記輸入業者のために設定される前記複合型銀行保証を前記輸出業者および前記輸出業者の銀行に通知することを行わせる、ことを特徴とする方法。
【請求項９】
請求項１記載の方法であって、商品が同意された期間内に前記輸入業者によって受領されない場合、前記中央制御設備が信用状の処理と一致したステップに従い、前記ステップが、必要に応じて船積指図書、積荷証券および出荷保険の前記輸出業者による呈示を要求するステップを含む、ことを特徴とする方法。
【請求項１０】
請求項１記載の方法であって、前記輸出業者が前記中央制御設備に前記取引のための見積インボイスを登録し、前記見積インボイスの前記登録が、前記中央制御設備によって維持される前記ウェブページを通して遂行され、前記登録が、指定された期間の間有効である、ことを特徴とする方法。
【請求項１１】
請求項１記載の方法であって、前記複合型銀行保証の設定および登録の通知が、通信設備を介して指定された輸出業者および前記指定された輸出業者の銀行に前記コンピュータ実装されたソフトウエアによって与えられる、ことを特徴とする方法。
【請求項１２】
請求項１記載の方法であって、前記見積インボイスの前記登録が前記中央制御設備への手数料の支払で前記指定された期間の間維持される、ことを特徴とする方法。
【発明の詳細な説明】
【技術分野】
【０００１】
本発明は、輸出業者と輸入業者との間の取引に、および、より詳しくは彼らの間の金銭上の取引の簡素化および安全性に関する。
【背景技術】
【０００２】
商品の輸入業者と輸出業者との間の金銭上の取決めは、概ね両当事者の銀行および一般的に信用状または銀行保証のいずれかが関与する。
【０００３】
信用状は、「前金の」支払である。輸出された商品が出荷され、および、関連した書類が提示される瞬間、輸入業者は取引の規定料金を支払わなければならない。それは、他の取引システムにあるような信用供与を排除して、輸入業者に対して高価である。
【０００４】
さらに、信用状は一度だけ使われることができる。信用状は輸入ごとに必要であり、発行される各信用状に対して銀行手数料を招き、各々の新しい書状を準備するために銀行へ行かなければならないという、輸入業者に対する一層の不利益を伴う。相当な文書業務が各々の新しい書状の発行に関係しており、および、輸入業者は新しい信用状の基準として見積インボイスを提示しなければならない。書状の設定は、輸入業者がその価格を担保するために資金を拘束する必要がある。
【０００５】
信用状の更なる欠点は、偽の書類の呈示を通して詐欺が可能であるために、信用状に関する銀行の責任が証拠書類だけに及び、商品（犯行）に関与しないということである。支払は、商品の（申し立てられた）積出地点で徴収され、そのため提示された書類が偽物であったとしても、これは後になるまで発見されることができない。
【０００６】
信用状または金額未確定勘定取引に代わるものとして、輸入業者は銀行保証を輸出業者に与えることができる。この手段の１つの欠点は、信用状に関しては、それが１回の使用だけの手段であるということである。輸入業者が銀行保証と連携した金額未確定勘定を使用して、インボイスに関して支払うとすると、支払を受領する際のなんらかの予想外の遅延のため、または詐欺的に、のどちらかで、輸出業者が銀行保証を換金する可能性がある。この種の二重支払は、取り戻すのが難しい。
【０００７】
輸入業者と輸出業者との間の取引に伴う別の欠点は、輸入業者が海外の輸出業者から買付けを実行するための信用期間の延長を拒絶されるということである。輸出業者が商品の出荷を示唆する必要な書類を有するとすぐに、たとえ輸入業者がそれらの商品を受け取る前のいつかであるかもしれないとしても、彼は信用状によって支払われる。
【０００８】
輸出業者にとっても、信用状取引方法に欠点がある。支払を受領するために輸出業者は、支払を出すのに必要な書類を支払銀行に提出しなければならない。
【０００９】
海外ベースの輸出業者はまた、彼が金額未確定勘定取引処理を担保するために保険を購入する用意ができていない限り、支払期限の延長を提供することによって彼の商品の販売を促進することができないが、しかし、概ね、この種の保険は実行可能なオプションであるにはあまりに高価である。
【００１０】
これらの欠点を招くことなく、広く地理的に隔てられた輸入業者および輸出業者に金額未確定勘定取引の恩恵を提供することへの阻害は、金額未確定勘定取引の安全性がそれを通して媒介されることができるデータ記憶および通信ハブを提供する機構の欠如に、少なくとも部分的に起因する。
【発明の概要】
【発明が解決しようとする課題】
【００１１】
現地の地理的領域で稼働している買い手と売り手の間で利用可能なそれに類似した方法で輸入業者と輸出業者との間の安全な金額未確定勘定取引システムを提供することによって、上記の欠点に対処することが本発明の一目的である。
注記
【００１２】
用語「備える」（およびその文法上の変形）は、この明細書において、「有する」または「含む」という包括的な意味で、かつ「だけからなる」という排他的な意味でなく、使われる。
２．発明の背景の従来技術に関する上記の議論は、その中で論じられたいかなる情報も、いかなる国内の当業者の引用に値する従来技術または共通の一般知識の一部であることの容認ではない。
【課題を解決するための手段】
【００１３】
したがって、本発明の最初の広い形態において、一輸出入設備が提供され、前記設備が中央制御設備によって維持されるサーバおよびデータベースに常駐のコンピュータ実装されたソフトウエアを含み、前記ソフトウエアが輸入業者および輸出業者ならびに登録された前記輸入業者および輸出業者の稼働の各国内の少なくとも１つの銀行の登録を提供し、前記登録が、前記ソフトウエアによって生成されて送信されるインターネットウェブページにアクセスすることによって遂行され、前記少なくとも１つの銀行が前記登録輸入業者のために前記中央制御設備に複合型銀行保証を登録し、登録輸出業者が、前記登録輸入業者との取引のための前記複合型銀行保証に対するインボイスを前記中央制御設備に登録し、そして、前記ソフトウエアが前記複合型銀行保証に対して登録インボイスを監視するステップを実行し、前記ステップが、
（ａ）総価格を引き出すために、登録のために提出されたインボイスの価格を前記複合型銀行保証に対して（もしあれば）より前に登録されたインボイスの価格の合計に加えるステップ、
（ｂ）前記引き出された総価格を前記インボイスが登録のために提出された前記登録複合型銀行保証の価格と比較するステップ、
（ｃ）前記総価格が前記複合型銀行保証の価格を上回らない場合、前記インボイスが向けられる登録輸入業者の前記登録複合型銀行保証に対して、前記インボイスを登録するステップ、
（ｄ）登録手数料の支払で前記登録輸出業者によって提示される期間の間、前記インボイスの登録を維持するステップ、を含み、
そして、前記引き出された総価格が前記複合型銀行保証の価格より大きい場合、前記コンピューターシステムが、前記複合型銀行保証に対する前記輸出業者による登録のために提出されるいかなるインボイスの登録も拒否し、前記コンピューターシステムが前記輸出業者におよび前記輸入業者に拒否の電子メール通知を生成しかつ送信されるようにし、そして、登録インボイスの支払が前記インボイスの提示された登録期間内に前記輸入業者によってなされない場合、前記輸出業者が前記複合型銀行保証に対して請求することができる。
【００１４】
好ましくは、輸出入取引の当事者である、前記登録輸入業者、前記登録輸出業者および前記登録銀行の各々が、インターネットを介して前記データベースの適切なセクションへのアクセスが与えられ、前記アクセスが識別の認証の提供で可能にされる。
【００１５】
好ましくは、前記中央制御設備に対する前記輸出業者によるインボイスの登録が、前記登録輸出業者と前記登録輸入業者との間で同意される提示された登録期間の間である。
【００１６】
好ましくは、前記インボイスの登録が手数料の支払で前記中央制御設備によって前記データベース内に維持される。
【００１７】
好ましくは、前記登録輸入業者が前記中央制御設備に関係なく任意の支払手段によって前記中央制御設備に登録されるインボイスに対して、支払を実行する。
【００１８】
好ましくは、前記中央制御設備の前記コンピューターシステムが、前記複合型銀行保証に対して登録された前記インボイスの前記提示された登録期間の終了に対して、輸出入取引に対する当事者である前記登録輸出業者、前記登録銀行および前記登録輸入業者の各々に通知する。
【００１９】
好ましくは、前記インボイスの支払が前記輸入業者から前記輸出業者によって受領されることなく、前記インボイスに対する前記登録期間が終了する場合、前記登録輸出業者が、前記複合型銀行保証を発行した前記登録銀行によって前記複合型銀行保証に対して登録される前記インボイスの支払を保証される。
【００２０】
好ましくは、前記インボイスの前記登録期間の終了において登録インボイスの前記登録輸入業者からの支払を受領しなかった前記登録輸出業者が、前記インボイスが登録された前記複合型銀行保証に対して請求を登録することを可能にされる。
【００２１】
好ましくは、前記コンピュータ実装されたソフトウエアが、前記輸入業者のために前記銀行によって発行された複合型銀行保証に対する請求を前記登録銀行および前記登録輸入業者に通知する。
【００２２】
本発明の別の広い形態において、中央制御設備に登録される輸出業者と輸入業者との間の輸出入取引のためのインボイスの不履行支払を保証する一方法が提供され、前記方法が、以下のステップ、すなわち、
（ａ）前記輸出業者が前記中央制御設備に対する提示された期間の間の登録のために前記インボイスを提出するステップであって、前記インボイスが登録銀行によって発行された複合型銀行保証に対して登録されて、前記輸入業者のために前記中央制御設備に登録されるステップ、
（ｂ）前記中央制御設備のコンピューターシステムが、新しい総価格を引き出すために、前記提出されたインボイスの価格を前記複合型銀行保証に対して（もしあれば）より前に登録されたインボイスの総価格に加えるステップ、
（ｃ）前記コンピューターシステムが、前記複合型銀行保証の価格と前記新しい総価格を比較するステップ、
（ｄ）前記新しい総価格が前記複合型銀行保証の前記価格より大きくない場合、前記コンピューターシステムが前記中央制御設備に前記インボイスを登録するステップ、
（ｅ）前記輸入業者が前記インボイスの登録の前記提示された期間内に前記登録インボイスを支払わなかった場合にのみ、前記輸出業者が前記登録複合型銀行保証に対する請求を登録するステップ、
（ｆ）前記登録銀行が前記輸入業者への前記登録インボイスの支払を実行するステップ、を含み、
そして、前記新しい総価格が前記複合型銀行保証の前記価格より大きい場合、前記コンピュータが、最初に前記インボイスの登録を拒否して、第２に前記輸出業者への、および、前記輸入業者への通知の電子メールを生成するステップを実行する。
【００２３】
好ましくは、前記登録銀行は不履行状態でだけ前記登録インボイスの支払を実行し、前記不履行状態が、
（ａ）前記登録インボイスの前記提示された登録期間が終了した、
（ｂ）前記登録輸出業者が、前記中央制御設備に請求を登録した、
（ｃ）商品の供給の証拠書類が、前記登録された銀行によって確認されている、
（ｄ）前記登録輸入業者が、前記登録インボイスの支払の証拠を提供することができない、場合に生じる。
【００２４】
本発明の別の広い形態において、１つの通信およびデータ記憶ハブを設ける輸出入容易化コンピューターシステムが提供され、前記システムが中央制御設備によって維持され、前記コンピュータが、輸出入取引に対して登録された当事者によってインターネットを介してアクセス可能なサーバおよびデータベースを含み、前記コンピューターシステムが以下の機能、すなわち、
（ａ）前記中央制御設備に対する前記当事者の登録用のデータの前記当事者による提出のために前記インターネットを介して表示可能なフォーマットされたウェブページを生成して送信する機能であって、前記当事者が輸出業者、輸入業者ならびに前記輸出業者および輸入業者が位置する各国内の少なくとも１つの銀行を含む、機能、
（ｂ）前記データベース内の前記データの記憶機能、
（ｃ）登録された前記輸入業者のために前記銀行によって発行された複合型銀行保証の登録された前記銀行によって供給される詳細の記憶のためにフォーマットされたウェブページを提供する機能、
（ｄ）前記複合型銀行保証が発行された前記輸入業者によって指名された一者以上の登録輸出業者に対して登録された前記複合型銀行保証の詳細を、インターネットを介して提供する機能、
（ｅ）前記指名された輸出業者による前記複合型銀行保証に対する１つ以上のインボイスの登録を提出するためにフォーマットされたウェブページを提供する機能、
（ｆ）新しい総価格を引き出すために、前記複合型銀行保証に対して任意の以前の登録インボイスの価格を合計して、前記指名された輸出業者によって新しく提出されたインボイスの価格を加える機能、
（ｇ）前記新しい総価格が前記複合型銀行保証の価格を上回らない場合、前記複合型銀行保証に対して前記新しく提出されたインボイスを登録する機能、を有し、
そして、前記新しい総価格が前記複合型銀行保証の価格より大きい場合、前記複合型銀行保証に対して前記指名された輸出業者による登録のために提出されるいかなるインボイスの登録も、前記コンピューターシステムが拒否し、前記コンピューターシステムが前記指名された輸出業者への、および、前記輸入業者への拒否の電子メール通知を生成してかつ送信されるようにし、そして、登録インボイスの支払が前記インボイスの登録の提示された期間内に受領されない場合、前記指名された輸出業者が前記複合型銀行保証に対して請求することができる。
【００２５】
好ましくは、前記複合型銀行保証に対して登録された各インボイスが、登録手数料の支払で登録の期間の間登録され、前記登録の期間が、輸出入取引のために前記輸出業者と前記輸入業者との間で合意される。
【００２６】
好ましくは、前記複合型銀行保証を発行された前記輸入業者が、前記インボイスの登録の期間内に前記インボイスを支払わなかった場合、前記複合型銀行保証が前記複合型銀行保証に対して前記中央制御設備に登録されたインボイスの支払保証を提供する。
【００２７】
本発明の別の広い形態において、１つの輸出入取引設備が提供され、前記設備がコンピュータ実装されたプログラムを含み、前記プログラムが、中央制御設備によって維持されるサーバ上に常駐であり、前記プログラムが、
（ａ）前記中央制御設備に輸入業者および輸出業者を登録するステップ、
（ｂ）前記登録輸入業者のために発行される金融手段を登録して、管理するステップ、
（ｃ）前記金融手段に対する登録のために提出されるインボイスの価格を監視するステップ、を含むステップを実行し、
前記中央制御設備が、前記金融手段の実行における第三者監視者として働き、前記金融手段が複合型銀行保証を備え、それによって、前記インボイスが前記インボイスの登録の期間内に前記登録輸入業者によって支払われない場合、前記複合型銀行保証が前記複合型銀行保証に対して前記中央制御設備によって登録されるインボイスの支払を保証する。
【００２８】
好ましくは、前記金融手段が信用状および銀行保証の両方の原理を組み合わせ、前記金融手段が複合型銀行保証を形成する。
【００２９】
好ましくは、前記プログラムによって実行される前記ステップが、更に、
（ｄ）ウェブサイトを、インターネットを介してアクセス可能に維持するステップ、
（ｅ）前記ウェブサイトにアクセスする輸入業者および輸出業者による前記中央制御設備に対する登録を受け入れるステップ、
（ｆ）登録された前記輸入業者と少なくとも一者の登録された前記輸出業者との間の少なくとも１つの取引に用いられる前記銀行によって発行される前記複合型銀行保証を前記中央制御設備に登録するステップ、
（ｇ）前記少なくとも１つの取引のためのインボイスの登録ステップ、を含み、前記登録が提示された期間の間有効であり、
前記複合型銀行保証に対して登録される前記輸出業者のインボイスが前記提示された期間内に前記輸入業者によって支払われない場合、前記複合型銀行保証が、前記輸出業者に対する支払を保証する。
【００３０】
好ましくは、前記輸入業者が前記中央制御設備に複合型銀行保証を登録する。
【００３１】
好ましくは、前記中央制御設備が前記少なくとも１つの取引に対して前記輸入業者のために設定される前記複合型銀行保証を前記輸出業者および前記輸出業者の銀行に通知する。
【００３２】
好ましくは、前記複合型銀行保証が、第１の例において、前記輸入業者が商品を受け取っていない場合、または第２の例において、支払の証明が前記輸入業者によって提示された場合、を除き取消不能である。
【００３３】
好ましくは、前記商品が同意された期間内に前記輸入業者によって受領されない場合、前記中央制御設備が信用状の処理と一致したステップに従い、前記ステップが、必要に応じて船積指図書、積荷証券および出荷保険の前記輸出業者による呈示を要求するステップを含む。
【００３４】
好ましくは、前記輸出業者が前記中央制御設備に前記取引のための見積インボイスを登録し、前記見積インボイスの前記登録が、前記中央制御設備によって維持される前記ウェブサイトを通して遂行され、前記登録が、指定された期間の間有効である。
【００３５】
本発明の別の広い形態において、一分散通信回路網を介して第三者中央制御設備を用いて輸出入取引を容易にする一方法が提供され、前記方法が、以下のステップ、すなわち、
（ａ）前記中央制御設備がサーバおよびデータ記憶媒体上にコンピュータープログラムを維持するステップ、
（ｂ）前記コンピュータープログラムが前記通信回路網を介して輸入業者および輸出業者にアクセス可能なウェブサイトを生成するステップ、
（ｃ）前記プログラムが前記輸入業者および輸出業者による前記ウェブサイトへのデータ入力を受け入れるステップ、
（ｄ）前記プログラムが複数の前記輸出入取引に用いられる複合型銀行保証の登録を提供するステップ、を含み、
輸入業者による支払が前記インボイスの登録の期間内に実行されない場合、輸出業者が、前記複合型銀行保証に対して登録されるインボイスの支払のために前記複合型銀行保証に対して請求することができる。
【００３６】
好ましくは、前記輸入業者および輸出業者が前記プログラムによって生成される前記ウェブサイトを通して前記中央制御設備に対する登録を申し込み、前記登録は前記中央制御設備への登録手数料の支払で毎年更新できる。
【００３７】
好ましくは、前記複合型銀行保証が前記輸入業者の銀行によって前記輸入業者に与えられた銀行保証に基づく。
【００３８】
好ましくは、前記複合型銀行保証が前記中央制御設備と関連する銀行によって前記輸入業者に与えられた銀行保証に基づく。
【００３９】
好ましくは、前記複合型銀行保証の設定および登録の通知が、前記通信設備を介して指定された輸出業者および前記指定された輸出業者の銀行に前記プログラムによって与えられる。
【００４０】
好ましくは、前記プログラムが更に前記輸出業者によって前記ウェブサイトに提出される見積インボイスの登録を提供し、前記登録が指定された期間の間、前記中央制御設備によって維持される。
【００４１】
好ましくは、前記見積インボイスの前記登録が前記中央制御設備への手数料の支払で前記指定された期間の間維持される。
【００４２】
本発明の別の広い形態において、コンピュータのデータベース内の新しい提出されたインボイスの、複合型銀行保証に対する登録および記憶に対する適格性の評価のための１つのコンピュータ実装された輸出入取引設備が提供され、前記新しい提出されたインボイスがインターネットを介して前記コンピュータによって受信され、前記コンピュータが、インボイスの新しい総価格を引き出すために、任意のより前に提出されて登録されたインボイスの価格に前記新しい提出されたインボイスの価格を加え、前記新しい総価格が前記データベース内に記憶される臨界値を上回る場合、前記コンピュータが前記提出されたインボイスの登録および記憶を拒否し、前記コンピュータが、前記新しい提出されたインボイスを提出した受信事業体に対して前記拒否の電子メール通知を生成し、前記複合型銀行保証が、前記インボイスの支払が前記インボイスの登録の期間内になされない場合に、前記複合型銀行保証に対して輸出業者によって登録された前記インボイスの支払を保証する金融手段である。
【００４３】
本発明の別の広い形態において、前記設備のユーザが中央制御権限によって維持されるウェブサイトおよびデータベースの指定されたユーザ領域へのアクセスが与えられる１つのコンピュータ実装された輸出入設備が提供され、前記アクセスが前記ユーザのコンピュータに着脱自在に接続されるＵＳＢ素子を用いて媒介され、前記ＵＳＢ素子が前記ユーザの識別の認証および前記中央制御権限に対する登録に関連するデータを記憶し、前記ＵＳＢ素子が前記中央制御権限のコンピュータと通信し、前記ユーザが前記中央制御権限に登録される銀行、輸入業者および輸出業者を含む。
【図面の簡単な説明】
【００４４】
本発明の実施態様が、ここで、添付の図面を参照して記載され、そこにおいて、
【００４５】
【図１】分散型通信回路網を介して中央制御設備のコンピュータベースのプログラムによる輸入業者と輸出業者との間の対話の概略図である。
【図２】輸入業者、輸出業者および中央制御設備間の原理対話のいくつかを例示する流れ図である。
【図３】登録輸出業者によって提出されるインボイスの登録および監視におけるコンピュータベースのプログラムの主ステップを例示する流れ図である。
【図４】コンピュータベースのプログラムに使用される監視アルゴリズムの流れ図である。
【発明を実施するための形態】
【００４６】
第１の好ましい実施態様
【００４７】
本発明は、商品の輸入業者と輸出業者との間の取引を容易にする手段を確立する簡略化されたシステムを提供する。本発明において、取引のために利用可能にされる手段は、信用状でも銀行保証でもないが、しかし、取引に参加する状況に従い、両方のこれらの周知の手段の属性および作動モードのいくつかを含む方策、要するに複合型銀行保証である。
【００４８】
本発明の２つの更なる特徴は、取引および取引の保険に第三者を含む。
【００４９】
図１内に示されるシステム１０は、設備１２がインターネット２０のような分散通信網を介して輸入業者１６および輸出業者１８と通信することを可能にする、サーバおよびデータベース１４を維持する中央制御設備１２の形態の、第三者を提供する。輸入業者および輸出業者登録の設定、複合型銀行保証の設定ならびにその以降の使用に関するデータパケット２２が、輸入業者および輸出業者および中央制御設備によって維持されるそれらのコンピューターシステムの間で転送される。
【００５０】
中央制御設備のコンピュータ上に常駐のプログラムが、本発明の複合型銀行保証を容易にする輸出入を確立して、実行するプロセスで、全ての決定的なステップを実行する。輸入業者および輸出業者の両方が登録ユーザになる第三者中央制御設備の具備は両当事者の善意が確立されることができる利点を有し、および、時間とともに、信用または信頼性評価が全ての登録当事者の中央制御設備内で確立されることができる。輸入業者および輸出業者は、インターネット上のこの設備によって維持されるウェブサイトにアクセスして、プログラムによって供給されるフォーマットされたウェブページに必要データを入力することによって中央制御設備に登録する。登録は、手数料の支払で毎年更新できる。
【００５１】
このシステムは、所定の輸入業者と所定の輸出業者との間の取引の単一の場合を提供することができるが、しかしまた、一旦複合型銀行保証がこの設備に設定されるならば、輸入業者が複数の輸出業者および複数の取引を取り扱うことができる。
【００５２】
中央制御設備は銀行２０のような金融機関と連携して機能し、および、好ましい一実施態様では銀行の子会社または銀行内に完全に組み込まれた機能であってもよい。
【００５３】
１つの好ましい実施態様において、中央制御設備に登録した輸入業者は、輸入業者が一者以上の輸出業者と始めるのを期待する種類の取引を担保するのに十分な価格まで、中央制御設備の銀行業務部門による銀行保証を設定することができる。これらの輸出業者もまた、中央制御設備に登録される。代わりとして、輸入業者はそれ自体の銀行による銀行保証を設定することができて、中央制御設備にその保証を登録することができる。いずれの取決めにおいても、銀行保証は複合型銀行保証として中央制御設備によってこれから以後は処理される。
【００５４】
通常の銀行保証に類似した方法で、本発明の複合型銀行保証は、輸入業者が取引の継続期間の間いかなる資金も「ロックアップする」必要がない。但し、輸入業者の銀行（またはこの設備の銀行）が輸入業者の銀行によって保たれる口座の上に、またはなんらかの資産の上に先取特権を必要とする場合がある。通常の銀行保証とは異なり、複合型銀行保証は反復使用のために周期的に使われることができる。
【００５５】
再び、輸入業者が単一取引に対して輸出業者に提供する通常の銀行保証とは異なり、複合型銀行保証は中央制御設備によって保持される。輸出業者の銀行および輸出業者は中央制御設備ウェブサイト経由でまたは電子メールによってその可用性およびその準備を、助言される。
【００５６】
一旦複合型銀行保証が設定されると、輸出業者は取引のために発行される見積インボイスを登録する必要がある。見積インボイスの登録は、また、中央制御設備によって維持されるウェブサイトを通してインターネットを介して遂行される。この登録は、インボイス、インボイスを作成される総額、供給されるべき商品の詳細、取引の当事者、インボイス日付および支払のための期間を識別するデータを含む。この登録は、事実上特定される期間を担保する保険であって、必要であれば輸出業者によって更新されることができる。登録は、中央制御設備に支払うべき手数料を招く。
【００５７】
通常の信用状または通常の銀行保証の両方と同様に、複合型銀行保証は取消不能であるが、しかし、これらの周知の手段とは異なり、それは無条件で取消不能ではない。本発明の複合型銀行保証が取り消されることができる２つの条件または状況が、ある。最初に、商品が輸入業者によって受領されない場合、中央制御設備はあたかもそれが信用状であるかのように、類似した方法で複合型銀行保証を取扱う。すなわち、取引に対する支払を受領するために輸出業者に対して、中央制御設備は、船積指図書、積荷証券、保険などのような、商品の受け渡しの証拠書類を要求する。これらの文書が適切である場合、輸出業者は複合型銀行保証に対して支払われる。
【００５８】
第２に、インボイスに関する輸出業者への輸入業者による支払の証明が中央制御設備に輸入業者によって与えられる場合、複合型銀行保証は取り消される（または、少なくとも、有効性のその時点の期間が終了される）。図２は、本発明の複合型銀行保証と関連する原理プロセスの流れ図を示す。
【００５９】
インボイスの登録は、登録期間の長さの間、輸入業者のための保険を提供する。例えば、輸入業者および輸出業者が例えば３または６ヵ月の返済期限に照らして合意を交渉して決めることができる。この合意のもとで取引のための見積インボイスが、それらの信用条件に従って適切で更新できる期間の間、中央制御設備に登録されることができる。
【００６０】
一例として、合意の下で、輸出業者は３ヵ月の期間の信用を与えるが、しかし、輸入業者がその後更なる３ヵ月の延長を要請する。輸出業者が同意する場合、彼は更なる３ヵ月の間のインボイスを登録することができる。輸入業者が支払いのその上更なる延長を要請するが、しかし、ここで、輸出業者が同意しない場合、彼は６ヵ月の登録の期限満了の前に中央制御設備に複合型銀行保証に対する請求を登録する。中央制御設備は、次に取引に添付する書類を処理して、適切であるならば、輸出業者に支払う。
第２の好ましい実施態様
【００６１】
本発明の第２の好ましい実施態様において、一取引設備が輸入業者と輸出業者との間の取引を容易にする第三者である。再び図１を参照して、この第三者は、輸出入取引の当事者によってインターネットを介してアクセス可能な通信およびデータ記憶ハブを提供する集中化されたコンピュータおよびデータ記憶設備１４を稼働する中央制御設備１２として構成される。これらの当事者は、中央制御設備を使用する、輸入業者１６、輸出業者１８ならびに輸入業者および輸出業者の国内に稼働する選択された主要銀行２０を含む。
【００６２】
参加している事業体、選択された銀行、輸入業者および輸出業者は、中央制御設備コンピューターシステムによって生成されるインターネットウェブページへのデータ入力によって中央制御設備に登録された事業体になる。供給される詳細は、コンピュータのデータ記憶システム内に保持される。
【００６３】
好ましくは、データベースは、第１のセクター内に記憶される登録輸出業者、輸入業者および銀行、第２のセクター内の登録複合型銀行保証および登録インボイスならびに第３のセクター内の登録された請求と共に、コンピュータの記憶媒体のハードディスクの異なるセクター内に維持される。セクターは、更に再分割されることができる。したがって、第１のセクターは、登録輸出業者、登録輸入業者および登録銀行に対して各々１つの３つのセクションに分けられることができる。
【００６４】
各登録事業体は、ユーザ名およびパスワードを識別することによってインターネットを介して中央制御設備コンピューターシステムのデータベースの適切な領域にアクセスすることを可能にされる。
【００６５】
中央制御権限に登録される輸出業者は、必要機密事項取扱い許可を与えることによってインターネット経由で権限のコンピューターシステムの適切な領域に入ることができる。一旦アクセスが許可されると、輸出業者はウェブページとして表示される以下のデータを吟味することが可能である：
（ａ）輸出業者がそれに対してインボイスを登録した全ての現在の複合型銀行保証および関連する有効期日、
（ｂ）複合型銀行保証を提供した銀行の詳細、
（ｃ）中央制御権限に登録された全ての輸入業者の、および、それに対してインボイスが複合型銀行保証に対して登録された、詳細。
【００６６】
本輸出入取引設備によって提供される金額未確定勘定取引システムは、以下の特徴を含む：
（Ａ）輸出入取引に対する第三者（中央制御設備、そのインターネット接続したコンピューターシステム、データベース記憶設備およびスタッフ）、
（Ｂ）複合型銀行保証（金額未確定勘定取引のための信用の不履行保証）の中央制御設備コンピューターシステムによる生成、
（Ｃ）複合型保険手段（インボイス保証商品）
（Ｄ）中央制御設備コンピューターシステム上に実装されるインボイス監視アルゴリズム。
（Ｅ）（インボイス状況の不履行支払における）複合型銀行保証の信用状機能
（Ｆ）信用の不履行保証の中央制御設備コンピュータデータベースへのインターネット接続による銀行監視、
（Ｇ）不履行保証信用のレベルおよび輸入業者のインボイス保証商品の中央制御設備コンピュータデータベースへのインターネット接続による輸入業者監視。
【００６７】
システムのこれらの構成要素の各々が、次に詳述される。
Ａ）中央制御設備
【００６８】
中央制御設備およびそのインターネット接続したコンピューターシステムおよびデータベースを備える、第三者は、本発明の輸出入取引システムの稼働にとって中心的で重要である。このコンピューターシステムは、以下の機能を果たすようにプログラムされる：
（ａ）システムによって提供される金額未確定勘定取引を利用することを望むさまざまな国内の輸入業者が、中央制御設備コンピュータにアクセスして、かつ、コンピュータのソフトウエアによって生成されるフォーマットされたウェブページに彼らの関連した詳細を入力することによって中央制御設備に登録する必要がある。一旦登録されると、輸入業者は、有効なユーザ名およびパスワードを提出することによってのような、適切なログイン手続きを使用してインターネットを介して、コンピューターシステムデータベースの関連したセクションにアクセスすることが可能である。
（ｂ）同様に、このシステムを使用することを望むさまざまな国内の輸出業者もまた中央制御設備コンピュータにアクセスして、彼らの関連した詳細を入力することによって登録しなければならない。再び、一旦登録されたならば、輸出業者は有効なログインを提出することによってインターネットを介してデータベースの関連したセクションにアクセスすることが可能である。
（ｃ）登録輸入業者および輸出業者が位置する国の各々内の、および、このシステムに参加することを望む、少なくとも１つの主要銀行もまた、中央制御設備に登録する必要があり、および、その後に、再び適切に安全なログインによってログインすることによって、インターネットを介してデータベースの適切なセクションにアクセスすることを可能にされる。
（ｄ）登録銀行は、クライアント登録された輸入業者のために複合型銀行保証を登録するためにその銀行に割り当てられる中央制御設備コンピュータのデータベースの一セクション内にログインすることができる。この保証の全ての関連した詳細は、中央制御設備コンピュータによって生成されるフォーマットされたウェブページ内にこの銀行によって入力される。これらの詳細は次いで、コンピューターシステムのデータベースに記憶される。
（ｅ）再び、インターネットを介して中央制御設備コンピューターシステムにアクセスすることによって、登録銀行は保証が銀行によって発行されて登録された、それらのクライアント登録輸入業者の各々に対する複合型銀行保証（不履行保証された信用）を監視することが可能にされる。
（ｆ）登録銀行は、中央制御設備コンピューターシステムを用いて、有効な複合型銀行保証が中央制御設備に登録されて、銀行によって引き受けられるという、銀行の登録輸入業者クライアントによって指名された登録輸出業者への通知が、生成されて、インターネットを介して送信されるようにすることができる。
（ｇ）登録輸出業者は、インターネットを介して中央制御設備コンピューターシステムにアクセスすることによって、登録輸入業者の複合型銀行保証に対して特定の取引のための輸出業者のインボイスをコンピュータのデータベースに登録して、記録することができる。
（ｈ）登録輸入業者は、次に、インターネットを介して中央制御設備コンピューターシステムにアクセスすることによって、一者以上の輸出業者からのどのインボイスが輸入業者の名前で登録される複合型銀行保証に対して登録されたかについて調べることができる。
（ｉ）同じ手段によって、輸入業者は支払がすでになされた彼の複合型銀行保証に対して何のインボイスも登録されたままでないことを確認することができる。彼はまた、彼が注文しなかった商品の何の不正なインボイスもそのように登録されなかったことを確認することが可能である。
（ｊ）中央制御設備コンピューターシステムデータベース内に記憶されたデータによって、輸出業者が、登録されたが未払いのインボイスに対する輸入業者の複合型銀行保証に対して請求することができる。請求の詳細は、データベース内に記録されて、複合型銀行保証を発行した銀行および輸入業者の両方にアクセス可能である。
Ｂ）複合型銀行保証または「不履行保証信用」
【００６９】
このコンピュータ生成された手段は、本発明によって提供される金額未確定勘定取引システムの決定的な構成要素である。それが従来の信用状および銀行保証の両方に類似性を有するとはいえ、それは、両方の特徴のいくつかを組み合わせる異なる手段である。その特徴は、次の通りに要約されることができる：
（ａ）登録輸入業者がインボイスの支払を履行しない場合には、それが登録インボイスの登録輸出業者への支払を保証するという点で、それは銀行保証と類似している、
（ｂ）それは、銀行保証と以下の点において異なる
ａ．それは、（信用状の例のように）「最初の手段」の支払として使われない
ｂ．それはその代わりに、輸入業者による登録インボイスの滞納の場合にだけ使われて、最後の手段の支払として使われる、
ｃ．銀行保証とは異なり、それは登録輸入業者と複数の登録輸出業者との間の複数の取引に対して何度も使われることができる。
（ｃ）複数使用の特徴は、信用供与限度のそれと類似している。
（ｄ）それは、しかしながら信用供与限度と以下の詳細において異なる、
ａ．それは、輸出入取引において輸出業者に、発行する登録銀行による支払を保証するのにだけ用いられる。この手段を通しての支払は、取引の登録輸入業者による登録インボイスの支払の不履行の場合にだけ生じる。
ｂ．それは、本発明のシステムによって容易にされる金額未確定勘定取引取決めで使用することに制限される。
ｃ．登録輸入業者による登録インボイスに関する登録輸出業者への支払は、中央制御設備の外部で、それから独立の、他の振替の方法を使用して輸入業者によってなされ、不履行保証信用は、インボイスの支払の手段として輸入業者に利用可能でない。
Ｃ）インボイス保証商品
【００７０】
これは、輸出入取引に利用可能な従来の保険商品に対するいくつかの類似性を有する複合型保険取決めとみなされることができる。
【００７１】
類似性は、次の通りである：
（ｂ）本発明の本システムにおいて、登録輸出業者が登録輸入業者のために登録銀行によって発行される複合型銀行保証に対するインボイスを登録する場合、輸出業者は、インボイスの登録の有効性の継続期間の間の支払を保証される。
（ｃ）従来の保険のように、インボイス保証商品は明らかに規定された開始日付および終了日付を有する、
（ｄ）保証される総額が、明確に決められる、
（ｅ）インボイス保証商品の有効性の期間は、インボイスの登録を更新することによって延長されることができる。
【００７２】
しかしながら、インボイス保証商品は次の通りに従来の輸出入保険取決めと有意な方法で異なる：
（ａ）従来の保険商品とは異なり、インボイス保証商品は何のプレミアムも招くことなく、インボイスの登録のための手数料があるだけである。これは、地理的に隔離された輸出業者と輸入業者との間の金額未確定勘定取引の実施と関連する保険コストの上の主要な節減を構成する、
（ｂ）インボイス保証商品は、輸入業者の銀行によって発行される複合型銀行保証によって保証されて、実質的に複合型銀行保証の副産物である、
（ｃ）従来の保険商品は、インボイスの登録を提供しない、
（ｄ）本発明のシステムは、請求に対する保険契約に依存しない。複合型銀行保証に対してなされる請求は、法律によって与えられる信用状原理に基づく、
（ｅ）再び、従来の保険とは異なり、本システムの中央制御設備は輸出入取引の完了を追跡するためにインボイスの登録を利用する。インボイスの登録を維持することはコストを負うので、輸入業者からの支払が受領されると、輸出業者は登録を終了させ、したがって、取引の完了を確認する。登録の取消しによって、また、（更に下記で説明されるように）更なるインボイスが複合型銀行保証に対して登録されることができてもよい。
【００７３】
インボイスの登録のこの特徴は、輸出入取引を監視して、管理する大いに簡略化された方法を提供する。インボイス保証商品は保険商品でないと強調される。むしろ、それは低コストで金額未確定勘定取引の安全性を提供する、複合型銀行保証と両立する新奇な手段である。
Ｄ）インボイス監視システム
【００７４】
登録輸出業者によるインボイスの中央制御設備のコンピューターシステムデータベース内の登録によって、複合型銀行保証を発行する登録銀行および複合型銀行保証が彼のために中央制御設備に登録される、登録輸入業者の両方が、どの輸出業者が任意の１回における複合型銀行保証に対して支払いを保証されるかを監視することができる。インボイスの登録を監視するプロセスが、図３の流れ図内に図式的に示される。
【００７５】
コンピューターシステムソフトウエアは登録複合型銀行保証に対してデータベース内に登録および記憶のためのシステムに提出される各インボイスを監視し、インボイス価格をその複合型銀行保証に対して（もしあれば）より前に登録されたそれらのインボイスの価格の合計に加える。合計された新しい総価格が、複合型銀行保証の価格（臨界値）を上回るならば、インボイスの登録は拒否され、および、コンピュータは（例えば電子メールの形で）各当事者、すなわち、複合型銀行保証発行銀行、輸入業者および輸出業者への通知を生成する。コンピューターシステムによって使用されるアルゴリズムが、図４内に示される。前述したように、発行銀行はもちろんそれ自体でそれが中央制御設備に登録した複合型銀行保証の状況を監視することが可能である。
【００７６】
登録インボイスの価格が発行された複合型銀行保証の価格を上回らないことを監視するのと同様に、コンピューターシステムソフトウエアが登録インボイスの登録期間の経過を監視する。例えば、輸出業者がインボイスの登録の日付から６ヵ月の与信期間に同意した場合、彼はその期間の間登録を維持する必要がある。登録の更新は、例えば毎月ベースまたは３ヶ月毎ベースあることができる。
【００７７】
中央制御設備コンピューターシステムは、登録の期間が期限満了の近くであるという自動リマインダを生成し、およびそれが終了したときに、通知を発行することができる。（もちろん、登録輸出業者は前述したようにコンピューターシステムデータベースにアクセスすることによっていつでも彼のインボイスを監視することが可能である）。
【００７８】
それが輸入業者によって支払われるまで、輸出業者はインボイスの登録を維持し続け、その後、輸出業者は、その登録によって提供されるインボイス保証商品の必要性をもはや有さず、および、登録を中止するかまたは、実質的に登録が経過するのを許して、手数料の支払の停止を通してそれを更新しないように、システムにアクセスする。
【００７９】
輸出業者が、信用の期間を更に延長するように輸入業者との合意に達するならば、システムの柔軟性は、単に彼が中央制御設備コンピューターシステムにアクセスして、必要詳細および追加の登録手数料の支払を入力することによってインボイスの登録を更新することができる。
【００８０】
輸出業者が登録期間の終了の時までに彼の登録インボイスの支払を受領しなかったならば、輸出業者は中央制御設備コンピューターシステムに請求を登録することができ、このシステムは発行銀行に関連した詳細を伝え、同じく輸入業者に請求の提出を通知する。
【００８１】
一旦登録インボイスに対する支払が輸出業者によって受領されると、中央制御権限記録からその登録を削除することが輸出業者の関心である。輸出業者は、インボイスをリストする権限のデータベースのその関連したウェブページおよびそれが登録される複合型銀行保証にアクセスすることによってこうすることを可能にされる。清算ボタンがウェブページ上に設けられ、「クリックする」と、以下の諸ステップを含む保安プロセスを始動する：
（ａ）輸出業者は、権限に登録する時に輸出業者によって提示されるいくつかの所定の質問から無作為に選ばれる１つ以上の保安質問に答える必要がある、
（ｂ）質問が正しく答えられる場合、権限によって電子メールが複合型銀行保証を発行する銀行に転送され、この銀行にインボイス登録が削除されることを通知する、
（ｃ）権限がシステムからインボイスを削除する前に、好ましくは２日の、遅延が経過することができる。
【００８２】
輸入業者の場合、中央制御権限は複合型銀行保証が上記の輸出業者に対して記載されるプロセスに類似した方法で権限のデータベースから削除されることを輸入業者が要求することを提供する。この場合、権限は
（ａ）何のインボイスも複合型銀行保証に対して登録されたままでないことを確認する、
（ｂ）複合型銀行保証が所与時点内に、例えば一週間の時間内に、削除されることになっていることを発行銀行に通知する電子メールを発信する、
（ｃ）その週の経過の１、２日前に、権限は銀行および輸入業者の両方に、削除が生じるというリマインダを送信することができる。
Ｅ）複合型銀行保証の信用状機能：対請求
【００８３】
支払の不履行が起こる、すなわち、輸出業者が輸入業者からの支払を受領することなく、インボイスの登録の期間が終了する場合、輸出業者は輸入業者のために登録銀行によって発行された登録複合型銀行保証に対して中央制御設備に請求を登録することができる。
【００８４】
この設備のソフトウエアは、インボイスに対する登録期間が終了したことを確認することによって請求が登録されることができることを検査して、それに応じて銀行に通知する。代わりとして、銀行はこの設備のデータベースにアクセスすることによってこの検査を実行することができる。このソフトウエアは、また、請求が登録されたことを輸入業者に通知する。
【００８５】
支払不履行の状況では、複合型銀行保証は信用状と同じ方法で発行登録銀行によって、かつ、従来の信用状と同じ法的必要条件を前提として処理される。請求を実証するために銀行は、輸出業者に船積指図書、積荷証券、見積インボイス（登録インボイス）のコピーを要求する。銀行は、中央制御設備のデータベースにアクセスすることによって、請求のために提示されたインボイスが、複合型銀行保証に対してデータベース内に記録された登録インボイスと同じでありかつ同じ価格に対することを照合する。
【００８６】
商品の供給の輸出業者の証拠書類の正確度および登録インボイスの支払の証明の輸入業者の側の欠如を前提として、登録銀行は輸出業者に不履行支払を実行する。
【００８７】
本発明に従う信用状（高度な形態）において４つの変数が標準化される、すなわち、：
ａ）９０日の信用
ｂ）輸出業者が出荷のコストを払う。（貨物輸送コスト）
ｃ）輸出業者が出荷保険（運賃保険）に対して払う。
ｄ）信用状の有効期日（高度な形態）は、保険証券発行日から１年である。
【００８８】
本発明に従う信用状において、（高度な形態）３つの独特の特徴が提供される、すなわち：
ａ）有効なインボイス登録
ｂ）有効な請求形態
ｃ）支払の証拠がある場合、請求は有効でない。
ｄ）輸出業者がこの信用状の銀行手数料（高度な形態）およびこの取引に対してこの信用状から控除されるべき手数料（高度な形態）を支払うオプション。
利点：
【００８９】
ａ）一定の変数は、詐欺のリスクの減少、輸出品の荷渡し不能に関する紛争のリスクの減少および損傷を受けた輸出品の荷渡しに関する紛争のリスクの減少に至る。
ｂ）新しい特徴：
・インターネットを介して有効な複合型信用供与限度の検査を可能にする。
・インターネットを介してインボイス支払の状況の監視を可能にする。
・インボイス登録を更新することによって輸出業者による信用状の延期を可能にする。
・電信為替によって輸入業者による支払の柔軟性を可能にする。
・輸出業者がＴＴ支払の後でインボイス登録の登録を取り消すことができる
・不履行または紛争がある場合、輸出業者が信用状を通して請求することを可能にする。
ｃ）一般的な利益：
・この信用状（高度な形態）は、単純で発行するのがより容易である。これは、より少ないコストを意味する。
・支払の柔軟性を可能にする。輸出入取引の大半は、（クレジットカードの様に）銀行支払によって、ＴＴで、または不履行において完全弁済で支払われる。
・少数の事例で信用状の法律による紛争解決を可能にする。
・この特許の下の輸出入取引の大半において、輸出書類の検査はもはや必要でない。必要な輸出書類の検査および照合は、紛争の事例の少ないパーセンテージにおいてだけである。
Ｆ）銀行発行複合型銀行保証の銀行監視
【００９０】
上記したように、中央制御設備によって維持されるコンピューターシステムは、この設備に登録される銀行に、銀行がこの設備に登録した任意の複合型銀行保証に対するインボイスの登録を取り扱うコンピューターシステムのデータベースのそのセクション（銀行の口座）への、アクセスを提供する。アクセスは、この設備のコンピュータにログインする銀行の権限を与えられた職員による。
【００９１】
したがって、銀行は登録輸入業者に発行された複合型銀行保証および輸入業者が入ったそれに対して登録される取引に対するインボイスの状況を監視することを可能にされる。
Ｇ）複合型銀行保証およびインボイス保証商品の輸入業者監視
【００９２】
各登録輸入業者は、インターネットを介して中央制御設備のコンピューターシステムにログインすることによって、彼の登録銀行発行の複合型銀行保証に対して輸出業者によって現在登録されるインボイスを閲覧することができる。
【００９３】
本発明の輸出入設備は、したがって、中央制御設備に登録される輸出業者に不履行保証信用を与え、輸出業者と輸入業者との間の金額未確定勘定取引を可能にする。この信用保証を与える複合型銀行保証と従来の信用状との間の特有の差異は、輸入業者がインボイスの登録に付与される時間枠内にそうすることに失敗する場合には、複合型銀行保証がインボイスを支払うのにだけ用いられるということである。通常、インボイスの支払は、例えば口座間の電子振り込みのような任意の従来の支払手段を使用して、中央制御設備に関係なく輸入業者によってなされる。
【００９４】
この設備は実質的に（上でインボイス保証商品と称する）保険を提供し、それは複合型銀行保証の運用から自動的に拡張する。したがって、輸出業者は彼の取引を付保するコスト高を回避することができ、その代わりに、彼のインボイスの登録の継続期間の間、中央制御設備に適度の手数料を払う。
【００９５】
輸入業者による輸出業者への支払がインボイスの登録の期間内になされなかった不履行状況において、登録複合型銀行保証に対してなされる請求は従来の信用状の法律における利点を保持しており、標準の信用状手続きに従って登録銀行によって処理される。
【００９６】
本発明の稼働の中心となるのは、中央制御設備コンピューターシステムである。輸出入設備のさまざまな機能が実現されるのは、インターネットを介してこのコンピューターシステムにアクセスする輸出業者／輸入業者および銀行によってである。輸出入取引に対する当事者の登録、インボイスの登録および監視、複合型銀行保証のおよび請求の登録は、中央制御設備によって維持されるコンピューターシステムによって全て媒介される。それによって参加している当事者がコンピューターシステムデータベースに記憶されるデータにアクセスして、登録された手段、複合型銀行保証およびそれらに対して登録されるインボイス、の状況を監視することができるのもまたコンピューターシステムである。輸入業者の側の支払における不履行が起こったならば、再び、輸出業者が登録複合型銀行保証に対して請求を登録することを可能にするのはコンピューターシステムである。
【００９７】
中央制御権限ウェブサイトおよびそのデータベースのセクションへの当事者によるアクセスの安全性が設備の信認を有するために当事者にとって必須であることが、理解されよう。このために、本発明の設備は、この設備にアクセスする時に当事者用にユーザ識別素子を提供する。
【００９８】
この設備は、２レベルの識別を提供することができる。レベル１は、より低レベルの保安のためにある。レベル２は、より高いレベルの保安のためにある。
【００９９】
レベル１は、ユーザの識別データで暗号化される素子を備える。それは、ユーザのコンピュータのＵＳＢポートに取り付けられる。中央制御権限ウェブサイトは、ユーザが彼または彼女のユーザ名およびパスワードを入力したあと、かつ、権限のウェブサイトへのアクセスが付与される前に、ＵＳＢ素子上のデータを照合しなければならない。
【０１００】
レベル２は、それが他の保安質問を有するのを除いてレベル１と類似している。ユーザは、銀行、輸入業者または輸出業者のいずれかとして中央制御権限に登録する時に、質疑応答を入力する。回答は、ＵＳＢ素子上に記録される。ユーザが権限のウェブサイトへのアクセスを望むたびに、それらの保安質問が尋ねられる。ウェブサイトは、ユーザが権限のデータベースの適切な領域／複数領域にアクセスすることができる前に回答を照合する。
【０１０１】
レベル２ユーザ個人識別素子は、以下の特徴を有する：
ａ）それは、素子を権限のウェブサイトのユーザアクセス可能な領域にリンクする識別データを含む。
ｂ）素子が失われる、または、保安が破られるたびに、識別データが変更される。
ｃ）保安質問がある。ユーザは、保安質疑応答を提示する。回答は、素子内の特別な指定されたスペースに記録されて保存される。ユーザは、正しい答えがこの領域内に置かれることを確実にするために（ピン番号の入力の様に）質問に二度回答しなければならない。
ｄ）ユーザは、質疑応答を編集することができる。彼が保安質問に正しく答えたあとでのみ、彼は編集ボタンを使用することができる。編集ボタンを使用したあと、彼は新しい質疑応答を入力する。質疑応答が保存される前に、彼は回答を二度入力しなければならない。
ｅ）ユーザが権限のウェブサイトに入ることを望むたびに、ウェブサイトのユーザ領域へのアクセスのためにユーザ名およびパスワードが入力されなければならない。彼が彼のユーザ領域に入ることができる前に、ウェブサイトは彼に個人識別素子の保安質問を尋ねる。回答は、識別素子内の類似した指定された領域内に一時的に保存される。
ｆ）ウェブサイトは、個人識別素子内の正しい識別データを照合する。次いで、それは個人識別素子の記憶された回答領域と一時的回答領域を照合する。２つの領域が同一の場合、ウェブサイトはユーザウェブサイトに入ることを可能にする。
ｇ）この個人識別素子は、ハッキングに対して非常にフールプルーフである。ウェブサイトに対する保安は、ハッキングによって破られる可能性がある。理由は、識別素子の保安質問データがウェブサイト内に記憶されないということである。ハッカーはウェブサイトに入リ込むかもしれず、彼らはユーザ名、パスワードまたは個人識別素子のレベル１の識別データをさえ得るかもしれない。しかし、素子がユーザと共にありかつウェブサイト内にないので、彼らは個人識別素子の保安質問データを得ることができない。
ｈ）個人識別素子が失われる場合、個人識別素子が取り替えられて、および、識別データは取替えで変更される。
使用時
【０１０２】
本システムの利点は、インターネットの通信回路網経由で輸出入取引の全ての当事者の登録、および、複合型銀行保証およびそれに対して登録されるインボイスのこの設備の監視、の中央制御設備上に維持されるプログラムによる、処理にある。このシステムによって、輸出業者が最小限のリスク、実際上、信用状に伴うと同じリスクで信用を延長することができ、彼らが金額未確定勘定支払のベースで稼働することができる。
【０１０３】
更なる利点は、実質的に通常の信用状のそれに類似したリスクで、輸出業者が最小限のリスクで輸入業者に信用を延長することができることを含む。最小限のリスクでのこの信用状の延期によって、輸出業者がその取引を促進することができ、国際通商の円滑な流れを容易にすることができる。
【０１０４】
輸入業者にとってのコンピュータ生成された複合型銀行保証の利点は、それが中央制御設備に登録される複数輸出業者を取扱う輸入業者によってしばしば使われることができるという点である。更なる利点は、インターネットを介して可能にされる対話を伴うコンピュータベースのシステムであり、多数の取引が処理されることができて、国際通商に関係する長期の期間にわたって中央制御設備によって監視されることができるという点である。
【０１０５】
上記は本発明のいくつかの実施態様だけを記載し、および、当業者に明白な変更態様が本発明の有効範囲から逸脱することなく、作成されることができる。
【符号の説明】
【０１０６】
１０  システム
１２  中央制御設備
１４  サーバおよびデータベース
１６  輸入業者
１８  輸出業者
２０  インターネット  銀行
２２  データパケット
【図１】
0005505659.tif 000002
【図２】
0005505659.tif 000003
【図３】
0005505659.tif 000004
【図４】
0005505659.tif 000005